(57)【要約】【課題】転写体から記録媒体に転写された画像のトナーに含まれる扁平顔料の姿勢の周期的なばらつきを抑制する。【解決手段】画像形成装置は、扁平顔料を含まないトナーで第１像を形成する第１形成部と、扁平顔料を含むトナーで第２像を形成する第２形成部と、転写された前記第１像及び前記第２像を搬送し、該第１像及び該第２像を記録媒体に転写する転写体と、第１荷重で前記転写体を前記第１形成部とで挟み、前記第１像を前記第１形成部から前記転写体へ転写する第１転写部材と、前記第１荷重よりも大きい第２荷重で前記転写体を前記第２形成部とで挟み、前記第２像を前記第２形成部から前記転写体へ転写する第２転写部材と、を備える。【選択図】図１
2016157018.tif 000002
【特許請求の範囲】
【請求項１】
扁平顔料を含まないトナーで第１像を形成する第１形成部と、
扁平顔料を含むトナーで第２像を形成する第２形成部と、
転写された前記第１像及び前記第２像を搬送し、該第１像及び該第２像を記録媒体に転写する転写体と、
第１荷重で前記転写体を前記第１形成部とで挟み、前記第１像を前記第１形成部から前記転写体へ転写する第１転写部材と、
前記第１荷重よりも大きい第２荷重で前記転写体を前記第２形成部とで挟み、前記第２像を前記第２形成部から前記転写体へ転写する第２転写部材と、
を備える画像形成装置。
【請求項２】
扁平顔料を含まないトナーで第１像を形成する第１形成部と、
扁平顔料を含むトナーで第２像を形成する第２形成部と、
転写された前記第１像及び前記第２像を搬送し、該第１像及び該第２像を記録媒体に転写する転写体と、
第１荷重で前記転写体を前記第１形成部とで挟み、前記第１像を前記第１形成部から前記転写体へ転写する第１転写部材と、
第１モードにおいて、前記第１荷重よりも大きい第２荷重で前記転写体を前記第２形成部とで挟んで前記第２像を前記第２形成部から前記転写体へ転写し、第２モードにおいて、前記第２荷重よりも小さい第３荷重で前記転写体を前記第２形成部とで挟んで前記第２像を前記第２形成部から前記転写体へ転写する第２転写部材と、
を備える画像形成装置。
【請求項３】
前記第２形成部及び前記第２転写部材は、前記第１形成部及び前記第１転写部材よりも、前記転写体の搬送方向下流側に配置され、
前記第１モードは、前記第１像を前記転写体に転写せず、前記第２像を前記転写体に転写する場合であり、
前記第２モードは、前記第１像及び前記第２像を前記転写体に転写する場合である請求項２に記載の画像形成装置。
【請求項４】
前記第１モードは、前記第１像及び前記第２像を前記転写体に転写し、画像密度９５％以上の前記第２像が前記記録媒体の幅の５０％以上を占める場合であり、
前記第２モードは、前記第１像及び前記第２像を前記転写体に転写し、画像密度９５％以上の前記第２像が前記記録媒体の幅の５０％未満を占める場合である
請求項２に記載の画像形成装置。
【発明の詳細な説明】
【技術分野】
【０００１】
本発明は、画像形成装置に関する。
【背景技術】
【０００２】
特許文献１には、感光体上に現像した金色トナー像と金色トナー像以外の他の色のトナー像とを像担持体に積層した後、定着して画像形成する画像形成装置であって、前記他の色のトナー像上に前記金色トナー像が像担持体に積層されることを特徴とする画像形成装置が開示されている。
【先行技術文献】
【特許文献】
【０００３】
【特許文献１】特開２００６−３１７６３２号公報
【発明の概要】
【発明が解決しようとする課題】
【０００４】
ここで、中間転写ベルト等の転写体に形成された画像を記録媒体に転写する際に、画像形成装置の画像形成動作等により、転写体にあらゆる方向における振動が伝わる場合がある。例えば、記録媒体の幅方向への振動が発生すると、転写体に対して記録媒体がその幅方向の一方及び他方に交互に相対移動する。記録媒体に転写される画像が、扁平状の顔料（以下、扁平顔料という）を含むトナーで形成されている場合には、記録媒体の厚み方向に対して扁平顔料が傾斜する角度（姿勢）が振動周期に従って変化する。この扁平顔料の周期的な姿勢の変化によって、記録媒体上の画像において、扁平顔料の姿勢の周期的なばらつきが生じる。
【０００５】
本発明は、扁平顔料を含むトナーで形成された画像を転写体に転写する転写部材におけるニップ荷重が、扁平顔料を含まないトナーで形成された画像を転写体に転写する転写部材におけるニップ荷重以下の荷重である場合に比べ、転写体から記録媒体に転写された画像のトナーに含まれる扁平顔料の姿勢の周期的なばらつきを抑制することを目的とする。
【課題を解決するための手段】
【０００６】
請求項１の発明は、扁平顔料を含まないトナーで第１像を形成する第１形成部と、扁平顔料を含むトナーで第２像を形成する第２形成部と、転写された前記第１像及び前記第２像を搬送し、該第１像及び該第２像を記録媒体に転写する転写体と、第１荷重で前記転写体を前記第１形成部とで挟み、前記第１像を前記第１形成部から前記転写体へ転写する第１転写部材と、前記第１荷重よりも大きい第２荷重で前記転写体を前記第２形成部とで挟み、前記第２像を前記第２形成部から前記転写体へ転写する第２転写部材と、を備える。
【０００７】
請求項２の発明は、扁平顔料を含まないトナーで第１像を形成する第１形成部と、扁平顔料を含むトナーで第２像を形成する第２形成部と、転写された前記第１像及び前記第２像を搬送し、該第１像及び該第２像を記録媒体に転写する転写体と、第１荷重で前記転写体を前記第１形成部とで挟み、前記第１像を前記第１形成部から前記転写体へ転写する第１転写部材と、第１モードにおいて、前記第１荷重よりも大きい第２荷重で前記転写体を前記第２形成部とで挟んで前記第２像を前記第２形成部から前記転写体へ転写し、第２モードにおいて、前記第２荷重よりも小さい第３荷重で前記転写体を前記第２形成部とで挟んで前記第２像を前記第２形成部から前記転写体へ転写する第２転写部材と、を備える。
【０００８】
請求項３の発明では、前記第２形成部及び前記第２転写部材は、前記第１形成部及び前記第１転写部材よりも、前記転写体の搬送方向下流側に配置され、前記第１モードは、前記第１像を前記転写体に転写せず、前記第２像を前記転写体に転写する場合であり、前記第２モードは、前記第１像及び前記第２像を前記転写体に転写する場合である。
【０００９】
請求項４の発明では、前記第１モードは、前記第１像及び前記第２像を前記転写体に転写し、画像密度９５％以上の前記第２像が前記記録媒体の幅の５０％以上を占める場合であり、前記第２モードは、前記第１像及び前記第２像を前記転写体に転写し、画像密度９５％以上の前記第２像が前記記録媒体の幅の５０％未満を占める場合である。
【発明の効果】
【００１０】
本発明の請求項１の構成によれば、第２荷重が第１荷重以下の荷重である場合に比べ、転写体から記録媒体に転写された画像のトナーに含まれる扁平顔料の姿勢の周期的なばらつきを抑制できる。
【００１１】
本発明の請求項２の構成によれば、第１モード及び第２モードにおいて同じ荷重を用いる場合に比べ、第１モードにおいて、転写体から記録媒体に転写された画像のトナーに含まれる扁平顔料の姿勢の周期的なばらつきを抑制でき、かつ、第２モードにおいて、荷重を大きくすることによる二次障害を抑制できる。
【００１２】
本発明の請求項３の構成によれば、第１モード及び第２モードにおいて同じ荷重を用いる場合に比べ、第１モードにおいて、転写体から記録媒体に転写された画像のトナーに含まれる扁平顔料の姿勢の周期的なばらつきを抑制でき、かつ、第２モードにおいて、扁平顔料を含まないトナーが転写体上で凝集されることを抑制できる。
【００１３】
本発明の請求項４の構成によれば、第１モード及び第２モードにおいて同じ荷重を用いる場合に比べ、画像密度９５％以上の第２像が記録媒体の幅の５０％以上を占める場合において、転写体から記録媒体に転写された画像のトナーに含まれる扁平顔料の姿勢の周期的なばらつきを抑制でき、かつ、画像密度９５％以上の第２像が記録媒体の幅の５０％未満を占める場合において、扁平顔料を含まないトナーが転写体上で凝集されることを抑制できる。
【図面の簡単な説明】
【００１４】
【図１】第１実施形態における画像形成装置を示す概略図である。
【図２】第１実施形態におけるトナー形成部を示す概略図である。
【図３】扁平顔料の平面図及び側面図である。
【図４】一次転写ロールと感光体ドラムとで転写ベルトを挟む状態を示す概略図である。
【図５】記録媒体に形成された画像における扁平顔料の配向ムラ（金属光沢感のムラ）を示す図である。
【図６】（Ａ）は、図５の矢視Ａにおける断面図であり、（Ｂ）は、図５の矢視Ｂにおける断面図である。
【図７】第２実施形態における画像形成装置を示す概略図である。
【図８】第２実施形態における一次転写ロールのニップ荷重を可変とした構成を示す概略図である。
【図９】モード選択の条件（画像密度及び、記録媒体の幅に対して画像が占める比率における条件）を示すグラフである。
【発明を実施するための形態】
【００１５】
以下に、本発明に係る実施形態の一例を図面に基づき説明する。なお、各図に示す矢印Ｈは鉛直方向を示し、矢印Ｗは水平方向であって装置幅方向を示す。
【００１６】
≪第１実施形態≫
＜画像形成装置１０の構成＞
図１は、画像形成装置１０を正面側から見た構成を示す概略図である。この図に示されるように、画像形成装置１０は、電子写真方式により用紙等の記録媒体Ｐに画像を形成する画像形成部１２と、記録媒体Ｐを搬送する搬送装置５０と、画像形成装置１０の各部の動作を制御する制御部７０と、を有している。
【００１７】
（搬送装置５０）
図１に示されるように、搬送装置５０は、記録媒体Ｐが収容される収容器５１と、収容器５１から二次転写位置ＮＴへ記録媒体Ｐを搬送する複数の搬送ロール５２と、を有している。さらに、搬送装置５０は、二次転写位置ＮＴから定着装置４０へ記録媒体Ｐを搬送する複数の搬送ベルト５８と、定着装置４０から記録媒体Ｐの排出部（図示省略）へ向けて記録媒体Ｐを搬送する搬送ベルト５４を有している。
【００１８】
（画像形成部１２）
画像形成部１２は、トナー画像を形成するトナー画像形成部２０と、トナー画像形成部２０で形成されたトナー画像を記録媒体Ｐに転写する転写装置３０と、記録媒体Ｐに転写されたトナー画像を加熱及び加圧して記録媒体Ｐに定着する定着装置４０と、を有している。
【００１９】
トナー画像形成部２０は、色ごとにトナー画像を形成するように複数備えられている。この実施形態では、イエロー（Ｙ）、マゼンタ（Ｍ）、シアン（Ｃ）、ブラック（Ｋ）、特別色（Ｖ）の計５色のトナー画像形成部２０が設けられている。この各色のトナー画像形成部２０は、特別色（Ｖ）、イエロー（Ｙ）、マゼンタ（Ｍ）、シアン（Ｃ）、ブラック（Ｋ）の順で、後述の転写ベルト３１の搬送方向の上流側から下流側に向けて配置されている。
【００２０】
画像形成部１２では、イエロー（Ｙ）、マゼンタ（Ｍ）、シアン（Ｃ）、ブラック（Ｋ）のトナー画像形成部２０が標準装備されており、イエロー（Ｙ）、マゼンタ（Ｍ）、シアン（Ｃ）、ブラック（Ｋ）が標準色となっている。一方、特別色（Ｖ）のトナー画像形成部２０は、例えば、オプションとして、追加装備が可能なトナー画像形成部２０として構成されている。
【００２１】
図１に示す（Ｖ）、（Ｙ）、（Ｍ）、（Ｃ）、（Ｋ）は、上記各色に対応する構成部分を示している。なお、本明細書の説明では、（Ｖ）、（Ｙ）、（Ｍ）、（Ｃ）、（Ｋ）の括弧を省略して、Ｖ、Ｙ、Ｍ、Ｃ、Ｋと記載する場合がある。特別色（Ｖ）には、例えば、銀色や金色等の色が用いられる。本実施形態では、後述するように、特別色（Ｖ）として、扁平状の顔料（以下、扁平顔料という）を含むトナーによる銀色を用いる例について説明する。なお、扁平顔料を含むトナーにおいては、扁平顔料以外の顔料を含んでいてもよい。
【００２２】
〔トナー画像形成部２０〕
各色のトナー画像形成部２０は、用いるトナーを除き基本的に同様に構成されている。具体的には、各色のトナー画像形成部２０は、図２に示されるように、図２における時計周り方向に回転する感光体ドラム２１と、感光体ドラム２１を帯電させる帯電器２２と、を有している。さらに、各色のトナー画像形成部２０は、帯電器２２によって帯電された感光体ドラム２１を露光して感光体ドラム２１に静電潜像を形成する露光装置２３と、露光装置２３によって感光体ドラム２１に形成された静電潜像を現像してトナー画像を形成する現像装置２４と、を有している。
【００２３】
具体的には、露光装置３６は、制御部７０が取得した画像データに応じて変調された露光光を感光体ドラム２１に照射して、感光体ドラム２１に静電潜像を形成するようになっている。この静電潜像が、現像装置２４によって現像されることで、画像データに基づくトナー画像が形成される。制御部７０が取得する画像データとしては、例えば、外部装置（図示省略）で生成され該外部装置から取得した画像データなどがある。
【００２４】
〔転写装置３０〕
転写装置３０は、各色の感光体ドラム２１のトナー画像を、転写ベルト３１（中間転写体）に重畳して一次転写し、該重畳されたトナー画像を二次転写位置ＮＴで記録媒体Ｐに二次転写するようになっている。具体的には、転写装置３０は、図１に示されるように、トナー画像が転写され該トナー画像を記録媒体Ｐに転写する転写体の一例としての転写ベルト３１と、一次転写ロール３３と、二次転写ロール３４と、を備えている。
【００２５】
［転写ベルト３１］
転写ベルト３１は、図１に示されるように、無端状を成し、複数のロール３２に巻き掛けられて姿勢が決められている。この実施形態では、転写ベルト３１は、正面視で装置幅方向に長い逆鈍角三角形状の姿勢とされている。複数のロール３２のうち、図１に示すロール３２Ｄは、図示しないモータの動力により転写ベルト３１を矢印Ａ方向に周回させる駆動ロールとして機能する。転写ベルト３１は、矢印Ａ方向に周回することで、一次転写された各色のトナー画像を、各色の一次転写位置Ｔから二次転写位置ＮＴへ搬送するようになっている。
【００２６】
また、複数のロール３２のうち、図１に示すロール３２Ｔは、転写ベルト３１に張力を付与する張力付与ロールとして機能する。複数のロール３２のうち、図１に示すロール３２Ｂは、二次転写ロール３４の対向ロール３２Ｂとして機能する。対向ロール３２Ｂには、前述の通り逆さ鈍角三角形状の姿勢とされた転写ベルト３１の鈍角を成す下端側の頂部が巻き掛けられている。この転写ベルト３１は、前述した姿勢で装置幅方向に延びる上辺部において、各色の感光体ドラム２１に下方から接触している。
【００２７】
［一次転写ロール３３］
一次転写ロール３３は、各感光体ドラム２１のトナー画像を転写ベルト３１に転写するロールであり、転写ベルト３１の内側に配置されている。各一次転写ロール３３は、転写ベルト３１を挟んで、対応する色の感光体ドラム２１に対して対向配置されている。また、一次転写ロール３３には、給電部３７（図２参照）によって、トナー極性とは逆極性の一次転写電圧（一次転写電流）が印加されるようになっている。これにより、トナー画像形成部２０の感光体ドラム２１と一次転写ロール３３との間に転写電界が形成されて、感光体ドラム２１に形成されたトナー画像に対して静電力が作用し、当該トナー画像が一次転写位置Ｔで転写ベルト３１に転写される。
【００２８】
［二次転写ロール３４］
二次転写ロール３４は、転写ベルト３１に重畳されたトナー画像を記録媒体Ｐに転写するロールである。二次転写ロール３４は、図１に示されるように、対向ロール３２Ｂとの間に転写ベルト３１を挟むように配置されており、二次転写ロール３４と転写ベルト３１とは予め定められた荷重にて接触している。このように接触している二次転写ロール３４と転写ベルト３１の間が二次転写位置ＮＴとされる。この二次転写位置ＮＴには、収容器５１から適時に記録媒体Ｐが供給されるようになっている。二次転写ロール３４は、図１における時計周り方向へ回転駆動される。
【００２９】
また、二次転写ロール３４には、給電部８０によって、対向ロール３２Ｂに負極性の電圧が印加され、対向ロール３２Ｂと二次転写ロール３４との間に電位差が生じる。すなわち、対向ロール３２Ｂに負極性の電圧が印加されることで、対向ロール３２Ｂの対向電極をなす二次転写ロール３４にトナー極性と逆極性の二次転写電圧（正極性の電圧）が間接的に印加される。これにより、対向ロール３２Ｂと二次転写ロール３４との間に転写電界が形成されて、転写ベルト３１のトナー画像に対して静電力が作用し、二次転写位置ＮＴを通過する記録媒体Ｐに、転写ベルト３１からトナー画像が転写される。
【００３０】
〔定着装置〕
定着装置４０は、複数のロール４３に巻き掛けられた定着ベルト４１と加圧ロール４２とで形成される定着ニップＮＦにおいてトナー画像を加熱しつつ加圧することで、トナー画像を記録媒体Ｐに定着する構成とされている。
【００３１】
ロール４３のうち、例えば、ロール４３Ｈが駆動ロールとされており、ロール４３Ｈが回転駆動することで、定着ベルト４１が矢印Ｒ方向に周回するようになっている。
【００３２】
また、ロール４３Ｈの内部には、ハロゲンランプ等の熱源４４が設けられている。この熱源４４によってロール４３Ｈを介して定着ベルト４１が加熱される。
【００３３】
また、加圧ロール４２は、図示せぬモータから伝達される駆動力により、定着ベルト４１の周速度と同様の周速度で回転するようになっている。
【００３４】
＜要部構成＞
本実施形態では、前述のように、トナー画像形成部２０Ｙ、２０Ｍ、２０Ｃ、２０Ｋ（第１形成部の一例）は、それぞれ、イエロー（Ｙ）、マゼンタ（Ｍ）、シアン（Ｃ）、及びブラック（Ｋ）のトナーでトナー画像（第１像の一例）を形成する構成とされている（図１参照）。
【００３５】
トナー画像形成部２０Ｙ、２０Ｍ、２０Ｃ、２０Ｋ（以下、２０Ｙ〜２０Ｋと示す）で用いられるイエロー（Ｙ）、マゼンタ（Ｍ）、シアン（Ｃ）、及びブラック（Ｋ）のトナーは、扁平顔料を含まず、扁平顔料以外の顔料（例えば、有機顔料、無機顔料）とバインダー樹脂とを含んで構成されている。当該顔料は、後述の銀色トナーの顔料１１０に比して、球形状に近い形状をしている。
【００３６】
なお、本明細書では、説明の便宜上、イエロー（Ｙ）、マゼンタ（Ｍ）、シアン（Ｃ）、及びブラック（Ｋ）を「カラー色」と称し、カラー色のトナーを「カラー色トナー」と称し、カラー色トナーで形成されたトナー画像を「カラー色画像」と称する。
【００３７】
一方、トナー画像形成部２０Ｖ（第２形成部の一例）は、特別色（Ｖ）としての銀色のトナー（以下、銀色トナーという）でトナー画像（第２像の一例）を形成する構成とされている（図１参照）。なお、以下、説明の便宜上、銀色トナーで形成されたトナー画像を「銀色画像」と称する。
【００３８】
トナー画像形成部２０Ｖで用いられる銀色トナー１１２は、図４（Ｂ）に示されるように、扁平顔料の一例としての顔料１１０とバインダー樹脂１１１とを含んで構成されている。顔料１１０は、アルミニウム等の金属で構成されている。そして、顔料１１０を平面に置いて側方から見ると、顔料１１０は、図３（Ｂ）に示されるように、図中左右方向の寸法が図中上下方向の寸法に対して長くなる形状とされている。顔料１１０は、左右方向の寸法と上下方向の寸法との寸法比が、カラー色トナーの顔料における当該寸法比よりも大きくされている。また、銀色トナーは、粒径がカラー色トナーよりも大きくなっている。具体的には、カラー色トナーの体積平均粒径が、例えば４〜６μｍ程度とされるのに対して、銀色トナーの体積平均粒径は、例えば１０μｍ程度とされる。
【００３９】
また、図３（Ｂ）に示す顔料１１０を図中上方から見ると、顔料１１０は、図３（Ａ）に示されるように、側方から見た形状に対して広がった形状とされ、顔料１１０は、顔料１１０を平面に置いた状態（図３（Ｂ）参照）で、上方及び下方を向く一対の反射面１１０Ａを有している。このように、顔料１１０は、扁平形状とされている。なお、銀色トナーは、顔料の形状に倣って扁平形状をしている。
【００４０】
ここで、本実施形態では、制御部７０は、外部装置（図示省略）から画像形成指令と共にジョブデータを受けるように構成されている。
【００４１】
ジョブデータには、各トナー画像形成部２０Ｖ、２０Ｙ〜２０Ｋに形成させるトナー画像の画像データと、画像データに付随する他のデータとが含まれる。他のデータには、画像が形成される記録媒体Ｐのサイズ（搬送方向と交差する方向における記録媒体Ｐの幅）等が含まれる。また、画像データには、画像を形成するため画像密度（％）のデータと、画像幅のデータとが含まれている。
【００４２】
画像形成指令としては、例えば、銀色画像の形成指令と、カラー色画像の形成指令と、混色画像の形成指令と、がある。銀色画像の形成指令は、カラー色画像を記録媒体Ｐに形成せずに銀色画像を記録媒体Ｐに形成する画像形成指令である。カラー色画像の形成指令は、銀色画像を記録媒体Ｐに形成せずにカラー色画像を記録媒体Ｐに形成する画像形成指令である。混色画像の形成指令は、銀色画像及びカラー色画像を記録媒体Ｐに形成する画像形成指令である。
【００４３】
なお、銀色画像を記録媒体Ｐに形成する画像形成指令としては、上記の銀色画像の形成指令と、上記の混色画像の形成指令と、が含まれる。また、カラー画像を記録媒体Ｐに形成する画像形成指令としては、上記のカラー色画像の形成指令と、上記の混色画像の形成指令と、が含まれる。
【００４４】
そして、本実施形態では、各一次転写ロール３３Ｙ、３３Ｍ、３３Ｃ、３３Ｋ（以下、３３Ｙ〜３３Ｋと示す）は、図４（Ａ）に示されるように、軸部３５が圧縮バネ３９によって、第１ニップ荷重（第１荷重の一例）にて、感光体ドラム２１Ｙ、２１Ｍ、２１Ｃ、２１Ｋ（以下、２１Ｙ〜２１Ｋと示す）へ加圧されている。これにより、各一次転写ロール３３Ｙ〜３３Ｋ（第１転写部材の一例）は、第１ニップ荷重で転写ベルト３１を各感光体ドラム２１Ｙ〜２１Ｋとで挟む。
【００４５】
この状態において、各一次転写ロール３３Ｙ〜３３Ｋは、各カラー色画像を各一次転写位置ＴＹ、ＴＭ、ＴＣ、ＴＫで各感光体ドラム２１Ｙ〜２１Ｋから転写ベルト３１へ転写する。第１ニップ荷重は、例えば、１３ｇ／ｃｍ（線圧）とされる。なお、第１ニップ荷重は、８〜２０ｇ／ｃｍの範囲（１３ｇ／ｃｍを除く）で設定してもよい。
【００４６】
また、一次転写ロール３３Ｖは、図４（Ｂ）に示されるように、軸部３５が圧縮バネ３９によって、第１ニップ荷重よりも大きい第２ニップ荷重にて、感光体ドラム２１Ｙ〜２１Ｋへ加圧されている。これにより、一次転写ロール３３Ｖ（第２転写部材の一例）は、第１ニップ荷重よりも大きい第２ニップ荷重（第２荷重の一例）で転写ベルト３１を感光体ドラム２１Ｖとで挟む。この状態において、一次転写ロール３３Ｖは、一次転写位置ＴＶで銀色画像を感光体ドラム２１Ｖから転写ベルト３１へ転写する。
【００４７】
第２ニップ荷重は、圧縮バネ３９におけるバネ材の径、バネ材の材質及び圧縮量等の何れか又は組み合わせを設定（調整）することにより、第１ニップ荷重よりも大きくされている。また、第２ニップ荷重は、例えば、１７ｇ／ｃｍ（線圧）とされる。なお、第２ニップ荷重は、第１ニップ荷重よりも大きければ、１３〜２５ｇ／ｃｍの範囲（１７ｇ／ｃｍを除く）で設定してもよい。
【００４８】
＜要部構成の作用＞
次に、要部構成の作用について説明する。
【００４９】
制御部７０は、銀色画像を記録媒体Ｐに形成する画像形成指令を受けると、トナー画像形成部２０Ｖを稼働させる（図１参照）。これにより、トナー画像形成部２０Ｖにおいて、帯電器２２による帯電動作、露光装置２３による露光動作及び現像装置２４による現像動作が行われ、感光体ドラム２１Ｖに銀色画像が形成される。
【００５０】
この銀色画像が、一次転写位置ＴＶにて転写ベルト３１に転写される。このとき、銀色画像及び転写ベルト３１は、一次転写位置ＴＶにおいて、一次転写ロール３３Ｖ及び感光体ドラム２１Ｖによって、第２ニップ荷重で挟まれる。転写ベルト３１に転写された銀色画像は、二次転写位置ＮＴにて転写ベルト３１から記録媒体Ｐに転写される。
【００５１】
銀色画像が転写された記録媒体Ｐは、定着装置４０の定着ニップＮＦへ搬送される。定着装置４０は、定着ニップＮＦを通過する記録媒体Ｐに対し、熱及び圧力を付与する。これにより、記録媒体Ｐに転写された銀色画像が記録媒体Ｐに定着される。
【００５２】
本実施形態では、前述のように、銀色画像が転写ベルト３１に転写される際に、第１ニップ荷重よりも大きい第２ニップ荷重で、銀色画像及び転写ベルト３１が挟まれる。このため、銀色画像及び転写ベルト３１が第１ニップ荷重で挟まれる場合に比べ、銀色画像における銀色トナー同士が寝た状態で密着し、銀色トナーが凝集する。さらに、銀色画像及び転写ベルト３１が第１ニップ荷重で挟まれる場合に比べ、銀色画像の銀色トナーと転写ベルト３１との接触面積が増大し、銀色トナーと転写ベルト３１との付着力（密着性）が高まる。
【００５３】
ここで、銀色画像を転写ベルト３１から記録媒体Ｐに転写する際に、例えば、二次転写ロール３４にその軸方向への振動等が発生すると、転写ベルト３１に対して記録媒体Ｐが二次転写ロール３４の軸方向の一方及び他方へ交互に相対移動しながら、銀色画像が記録媒体Ｐに転写される。これにより、転写された銀色画像における銀色トナーの顔料１１０の姿勢が振動周期に従って変化する。この顔料１１０の周期的な姿勢の変化によって、定着後の銀色画像において、顔料１１０の姿勢の周期的なばらつきが生じる。すなわち、定着後の銀色画像において、図５に示されるような顔料１１０の配向ムラが発生する。顔料１１０の配向ムラが発生すると、顔料１１０からの反射光によって視認される金属光沢感にムラが発生する。
【００５４】
図５に示す例では、記録媒体Ｐの搬送方向Ｄと交差する方向に帯状にされた暗部ＰＡと明部ＰＢとが、搬送方向Ｄに交互に並んだムラとなっている。このムラは、図５の矢印Ｘ方向から視認した場合に視認されるムラである。具体的には、暗部ＰＡは、図６（Ａ）に示されるように、顔料１１０が視認方向Ｘに沿った姿勢とされ、視認側への反射光が相対的に低い状態となっている。一方、明部ＰＢは、図６（Ｂ）に示されるように、顔料１１０が視認方向Ｘに対面する姿勢とされ、視認側への反射光が相対的に高い状態となっている。なお、図６（Ａ）は、図５の矢視Ａにおける模式的な断面図であり、図６（Ｂ）は、図５の矢視Ｂにおける模式的な断面図である。
【００５５】
これに対して、本実施形態では、前述のように、第１ニップ荷重よりも大きい第２ニップ荷重で、銀色画像及び転写ベルト３１が挟まれた状態で、銀色画像が転写ベルト３１へ転写されるため、銀色トナーが寝た状態で凝集する共に、銀色トナーと転写ベルト３１との付着力（密着性）が高まる。このため、銀色画像を転写ベルト３１から記録媒体Ｐに転写する際に、二次転写ロール３４にその軸方向への振動等が発生しても、銀色トナーの顔料１１０が動きにくく、顔料１１０の姿勢が局所的に変化しにくい。
【００５６】
したがって、一次転写位置ＴＶにおけるニップ荷重が第１ニップ荷重以下の荷重である場合に比べ、転写ベルト３１から記録媒体Ｐに転写された銀色画像の銀色トナーに含まれる顔料１１０の姿勢の周期的なばらつきが抑制される。これにより、記録媒体Ｐに形成された銀色画像において、金属光沢感のムラが発生することが抑制される。
【００５７】
一方、制御部７０が、カラー色画像を記録媒体Ｐに形成する画像形成指令を受けると、トナー画像形成部２０Ｙ〜２０Ｋを稼働させる（図１参照）。これにより、各トナー画像形成部２０Ｙ〜２０Ｋにおいて、帯電器２２による帯電動作、露光装置２３による露光動作及び現像装置２４による現像動作が行われ、各感光体ドラム２１Ｙ〜２１Ｋに各カラー色画像が形成される。
【００５８】
このカラー色画像が、一次転写位置ＴＹ〜ＴＫにて転写ベルト３１に順次転写される。このとき、各カラー色画像及び転写ベルト３１は、各一次転写位置ＴＹ〜ＴＫにおいて、各一次転写ロール３３Ｙ〜３３Ｋ及び各感光体ドラム２１Ｙ〜２１Ｋによって、第１ニップ荷重で挟まれる。転写ベルト３１に転写された各カラー色画像は、二次転写位置ＮＴにて転写ベルト３１から記録媒体Ｐに転写される。
【００５９】
カラー色画像が転写された記録媒体Ｐは、定着装置４０の定着ニップＮＦへ搬送される。定着装置４０は、定着ニップＮＦを通過する記録媒体Ｐに対し、熱及び圧力を付与する。これにより、記録媒体Ｐに転写されたカラー色画像が記録媒体Ｐに定着される。
【００６０】
本実施形態では、前述のように、各カラー色画像が転写ベルト３１に転写される際に、第２ニップ荷重よりも小さい第１ニップ荷重で、カラー色画像及び転写ベルト３１が挟まれる。このため、カラー色画像及び転写ベルト３１が第２ニップ荷重で挟まれる場合に比べ、カラー色画像におけるカラー色トナー同士が密着せず、カラー色トナーが転写ベルト３１上で凝集することが抑制される。また、カラー色画像及び転写ベルト３１が第２ニップ荷重で挟まれる場合に比べ、カラー色画像のカラー色トナーと転写ベルト３１との付着力（密着性）は低い。
【００６１】
このため、カラー色画像が転写ベルト３１から記録媒体Ｐに転写される際に、カラー色トナーが記録媒体Ｐに転写されずに転写ベルト３１に残留して、記録媒体Ｐ上の画像が抜けることが抑制される。
【００６２】
＜第１実施形態の変形例＞
第１実施形態では、各一次転写ロール３３Ｙ〜３３Ｋ、３３Ｖは、圧縮バネ３９によって、各感光体ドラム２１Ｙ〜２１Ｋ、２１Ｖ側へ加圧されていたが、これに限られない。例えば、各一次転写ロール３３Ｙ〜３３Ｋ、３３Ｖは、引っ張りバネ等のバネ部材やその他弾性部材によって、各感光体ドラム２１Ｙ〜２１Ｋ、２１Ｖ側へ加圧されていてもよい。
【００６３】
≪第２実施形態≫
次に、第２実施形態に係る画像形成装置の一例について説明する。なお、第１実施形態と同一部分については、同一符号を付してその説明を適宜省略する。
【００６４】
＜第２実施形態の構成＞
本実施形態における画像形成部１２では、図７に示されるように、各色のトナー画像形成部２０は、イエロー（Ｙ）、マゼンタ（Ｍ）、シアン（Ｃ）、ブラック（Ｋ）、特別色（Ｖ）の順で、転写ベルト３１の搬送方向の上流側から下流側に向けて配置されている。
【００６５】
また、本実施形態では、一次転写ロール３３Ｖ（第２転写部材の一例）と感光体ドラム２１Ｖとで転写ベルト３１を挟むニップ荷重が可変とされている。具体的には、一次転写ロール３３Ｖは、図８（Ａ）（Ｂ）に示されるように、駆動部（図示省略）によって回転するカム２３０によって、感光体ドラム２１Ｖとの軸間距離が可変とされている。
【００６６】
より具体的には、図８（Ｂ）に示されるように、カム２３０の長径部分が一次転写ロール３３Ｖの軸部３５に接触する回転位置でカム２３０が停止することで、一次転写ロール３３Ｖは、各一次転写ロール３３Ｙ〜３３Ｋにおける第１ニップ荷重よりも大きい第２ニップ荷重で、転写ベルト３１を感光体ドラム２１Ｖとで挟む。図８（Ａ）に示されるように、カム２３０の短径部分が一次転写ロール３３Ｖの軸部３５に接触する回転位置でカム２３０が停止することで、一次転写ロール３３Ｖは、第２ニップ荷重よりも小さい第３ニップ荷重で、転写ベルト３１を感光体ドラム２１Ｖとで挟む。
【００６７】
本実施形態では、第１ニップ荷重は、例えば、１３ｇ／ｃｍ（線圧）とされる。また、第２ニップ荷重は、例えば、２０ｇ／ｃｍ（線圧）とされる。また、第３ニップ荷重は、例えば、１７ｇ／ｃｍ（線圧）とされ、第１ニップ荷重よりも大きくされている。なお、第３ニップ荷重は、第１ニップ荷重と同じであってもよい。
【００６８】
そして、本実施形態では、画像形成装置１０は、第２ニップ荷重を用いる第１モードと、第２ニップ荷重よりも小さい第３ニップ荷重を用いる第２モードと、を有している。具体的には、第１モードにおいて、第２ニップ荷重で転写ベルト３１を一次転写ロール３３Ｖと感光体ドラム２１Ｖとで挟んで、銀色画像を感光体ドラム２１Ｖから転写ベルト３１へ転写する。第２モードにおいて、第２ニップ荷重よりも小さい第３ニップ荷重で転写ベルト３１を感光体ドラム２１Ｖと一次転写ロール３３Ｖとで挟んで、銀色画像を感光体ドラム２１Ｖから転写ベルト３１へ転写する。
【００６９】
第１モードは、カラー色画像を転写ベルト３１に転写せず、銀色画像を転写ベルト３１に転写する場合に制御部７０に選択されて実行される。具体的には、第１モードは、制御部７０が、カラー色画像を記録媒体Ｐに形成せずに銀色画像を記録媒体Ｐに形成する画像形成指令（銀色画像の形成指令）を受けた場合に、制御部７０によって選択されて実行される。
【００７０】
第２モードは、カラー色画像及び銀色画像を転写ベルト３１に転写する場合に制御部７０に選択されて実行される。具体的には、第２モードは、制御部７０が、銀色画像及びカラー色画像を記録媒体Ｐに形成する画像形成指令（混色画像の形成指令）を受けた場合に、制御部７０によって選択されて実行される。
【００７１】
＜第２実施形態の作用＞
制御部７０は、銀色画像の形成指令を受けると、第１モードを選択すると共に、トナー画像形成部２０Ｖを稼働させる（図１参照）。第１モードが選択されることにより、図８（Ｂ）に示されるように、カム２３０の長径部分が一次転写ロール３３Ｖの軸部３５に接触する回転位置でカム２３０が停止する。これにより、一次転写ロール３３Ｖは、第１ニップ荷重よりも大きい第２ニップ荷重で転写ベルト３１を感光体ドラム２１Ｖとで挟んだ状態となる。
【００７２】
トナー画像形成部２０Ｖが稼働されることにより、トナー画像形成部２０Ｖにおいて、帯電器２２による帯電動作、露光装置２３による露光動作及び現像装置２４による現像動作が行われ、感光体ドラム２１Ｖに銀色画像が形成される。
【００７３】
この銀色画像が、一次転写位置ＴＶにて転写ベルト３１に転写される。このとき、銀色画像及び転写ベルト３１は、一次転写位置ＴＶにおいて、一次転写ロール３３Ｖ及び感光体ドラム２１Ｖによって、第２ニップ荷重で挟まれる。転写ベルト３１に転写された銀色画像は、二次転写位置ＮＴにて転写ベルト３１から記録媒体Ｐに転写される。
【００７４】
銀色画像が転写された記録媒体Ｐは、定着装置４０の定着ニップＮＦへ搬送される。定着装置４０は、定着ニップＮＦを通過する記録媒体Ｐに対し、熱及び圧力を付与する。これにより、記録媒体Ｐに転写された銀色画像が記録媒体Ｐに定着される。
【００７５】
本実施形態では、前述のように、銀色画像が転写ベルト３１に転写される際に、第１ニップ荷重よりも大きい第２ニップ荷重で、銀色画像及び転写ベルト３１が挟まれる。このため、銀色画像及び転写ベルト３１が第１ニップ荷重で挟まれる場合に比べ、銀色画像における銀色トナー同士が寝た姿勢で密着し、銀色トナーが凝集する。さらに、銀色画像及び転写ベルト３１が第１ニップ荷重で挟まれる場合に比べ、銀色画像の銀色トナーと転写ベルト３１との接触面積が増大し、銀色トナーと転写ベルト３１との付着力（密着性）が高まる。
【００７６】
このため、銀色画像を転写ベルト３１から記録媒体Ｐに転写する際に、二次転写ロール３４にその軸方向への振動等が発生しても、銀色トナーの顔料１１０が動きにくく、顔料１１０の姿勢が局所的に変化しにくい。
【００７７】
したがって、第１モードにおいて、一次転写位置ＴＶにおけるニップ荷重が第１ニップ荷重以下の荷重である場合に比べ、転写ベルト３１から記録媒体Ｐに転写された銀色画像の銀色トナーに含まれる顔料１１０の姿勢の周期的なばらつきが抑制される。これにより、記録媒体Ｐに形成された銀色画像において、金属光沢感のムラが発生することが抑制される。
【００７８】
一方、制御部７０が、混色画像の形成指令を受けると、第２モードを選択すると共に、トナー画像形成部２０Ｖ、２０Ｙ〜２０Ｋを稼働させる（図１参照）。第２モードが選択されることにより、図８（Ａ）に示されるように、カム２３０の短径部分が一次転写ロール３３Ｖの軸部３５に接触する回転位置でカム２３０が停止する。これにより、一次転写ロール３３Ｖは、第２ニップ荷重よりも小さい第３ニップ荷重で転写ベルト３１を感光体ドラム２１Ｖとで挟んだ状態となる。
【００７９】
トナー画像形成部２０Ｖ、２０Ｙ〜２０Ｋが稼働されることにより、トナー画像形成部２０Ｖ、２０Ｙ〜２０Ｋにおいて、帯電器２２による帯電動作、露光装置２３による露光動作及び現像装置２４による現像動作が行われ、感光体ドラム２１Ｖ、２１Ｙ〜２１Ｋに銀色画像及びカラー色画像がそれぞれ形成される。
【００８０】
各感光体ドラム２１Ｙ〜２１Ｋに形成されたカラー色画像が、一次転写位置ＴＹ〜ＴＫにて転写ベルト３１に順次転写される。このとき、各カラー色画像及び転写ベルト３１は、各一次転写位置ＴＹ〜ＴＫにおいて、各一次転写ロール３３Ｙ〜３３Ｋ及び各感光体ドラム２１Ｙ〜２１Ｋによって、第１ニップ荷重で挟まれる。
【００８１】
さらに、感光体ドラム２１Ｖに形成された銀色画像が、一次転写位置ＴＶにて転写ベルト３１に転写される。このとき、銀色画像及び転写ベルト３１は、一次転写位置ＴＶにおいて、一次転写ロール３３Ｖ及び感光体ドラム２１Ｖによって、第３ニップ荷重で挟まれる。また、転写ベルト３１に転写された各カラー色画像は、一次転写位置ＴＶを通過する際に、一次転写ロール３３Ｖ及び感光体ドラム２１Ｖによって、第３ニップ荷重で挟まれる。
【００８２】
そして、転写ベルト３１に転写された各カラー色画像及び銀色画像は、二次転写位置ＮＴにて転写ベルト３１から記録媒体Ｐに転写される。
【００８３】
カラー色画像及び銀色画像が転写された記録媒体Ｐは、定着装置４０の定着ニップＮＦへ搬送される。定着装置４０は、定着ニップＮＦを通過する記録媒体Ｐに対し、熱及び圧力を付与する。これにより、記録媒体Ｐに転写されたカラー色画像及び銀色画像が記録媒体Ｐに定着される。
【００８４】
本実施形態では、各カラー色画像が転写ベルト３１に転写される際に、第２ニップ荷重よりも小さい第１ニップ荷重で、カラー色画像及び転写ベルト３１が挟まれる。さらに、転写ベルト３１に転写された各カラー色画像は、一次転写位置ＴＶを通過する際に、一次転写ロール３３Ｖ及び感光体ドラム２１Ｖによって、第３ニップ荷重で挟まれる。
【００８５】
このため、カラー色画像及び転写ベルト３１が、一次転写位置ＴＶにおいて第２ニップ荷重で挟まれる場合に比べ、カラー色画像におけるカラー色トナー同士が密着せず、カラー色トナーが転写ベルト３１上で凝集することが抑制される。また、カラー色画像及び転写ベルト３１が第２ニップ荷重で挟まれる場合に比べ、カラー色画像のカラー色トナーと転写ベルト３１との付着力（密着性）は低い。
【００８６】
このため、カラー色画像が転写ベルト３１から記録媒体Ｐに転写される際に、カラー色トナーが記録媒体Ｐに転写されずに転写ベルト３１に残留して、記録媒体Ｐ上の画像が抜けることが抑制される。
【００８７】
≪第３実施形態≫
次に、第３実施形態に係る画像形成装置の一例について説明する。なお、第２実施形態と同一部分については、同一符号を付してその説明を適宜省略する。
【００８８】
＜第３実施形態の構成＞
本実施形態における画像形成部１２では、第２実施形態と同様に、各色のトナー画像形成部２０は、イエロー（Ｙ）、マゼンタ（Ｍ）、シアン（Ｃ）、ブラック（Ｋ）、特別色（Ｖ）の順で、転写ベルト３１の搬送方向の上流側から下流側に向けて配置されている（図７参照）。
【００８９】
また、前述の第２実施形態では、カラー色画像及び銀色画像を転写ベルト３１に転写する場合に、第２モードが、制御部７０に選択されて実行されていた。
【００９０】
これに対して、第３実施形態では、カラー色画像及び銀色画像を転写ベルト３１に転写し、かつ、画像密度９５％以上の銀色画像が記録媒体の幅の５０％以上を占める場合（図９において破線で囲まれた領域Ｂ参照）に、第１モードが制御部７０によって選択されて実行される。
【００９１】
また、カラー色画像及び銀色画像を転写ベルト３１に転写し、かつ、画像密度９５％以上の銀色画像が記録媒体の幅の５０％未満を占める場合（図９において破線で囲まれた領域Ａ参照）に、第２モードが制御部７０によって選択されて実行される。
【００９２】
ここで、制御部７０は、混色画像の形成指令を受けた場合に、ジョブデータから画像密度９５％以上の銀色画像が、記録媒体の幅の５０％以上を占めるか否かを判断する。具体的には、制御部７０は、ジョブデータに基づいて、実際に画像が形成される記録媒体Ｐの媒体幅に対して、画像密度９５％以上の銀色画像が形成される画像幅の比率が、５０％以上であるか否かで判断する。
【００９３】
画像密度とは、露光装置２３が感光体ドラム２１上に形成する露光ドットを１画素とした場合、単位面積当たりに含まれる総画素数に対して、現像装置２４により現像されるトナー画像の画素数の百分率のことをいう。
【００９４】
また、画像幅は、銀色画像における記録媒体の幅方向に沿った幅のうち最大幅とされる。媒体幅は、実際に画像が形成される記録媒体Ｐの幅のうち最大幅とされる。
【００９５】
前述の判断の結果、画像密度９５％以上の銀色画像が記録媒体の幅の５０％以上を占める場合には、制御部７０が第１モードを選択して実行する。また、前述の判断の結果、画像密度９５％以上の銀色画像が記録媒体の幅の５０％未満を占める場合には、制御部７０が第２モードを選択して実行する。なお、銀色画像として画像密度９５％未満の画像しか含まない場合（図４において破線で囲まれた領域Ｃ参照）は、制御部７０は、第２モードを選択して実行する。
【００９６】
ここで、記録媒体Ｐに形成されるトナー画像の画像密度が高く、当該トナー画像の画像幅が広い場合に、転写ベルト３１と記録媒体Ｐとの間の付着力が低下し、記録媒体Ｐが転写ベルト３１に対して相対移動しやすい。このため、図５に示されるような顔料１１０の姿勢の周期的なばらつきが発生しやすい。また、記録媒体Ｐに形成されるトナー画像の画像密度が高く、当該トナー画像の画像幅が広い場合に、顔料１１０の姿勢が局所的に変化したときに、銀色トナーにおける顔料１１０の姿勢の周期的なばらつきが、金属光沢感にムラとして目視により視認されやすい。
【００９７】
発明者は、特に、画像密度９５％以上の銀色画像が記録媒体Ｐの幅の５０％以上を占める場合（図９において破線で囲まれた領域Ｂ参照）において、記録媒体Ｐが転写ベルト３１に対して相対移動しやすく、銀色トナーにおける顔料１１０の姿勢の周期的なばらつきが、金属光沢感にムラとして視認されやすいとの知見を得た。
【００９８】
＜第３実施形態の作用＞
制御部７０は、混色画像の形成指令を受けると、ジョブデータに基づいて、実際に画像が形成される記録媒体Ｐの媒体幅に対して、画像密度９５％以上の銀色画像が形成される画像幅の比率が５０％以上であるか否かで判断する。
【００９９】
この判断の結果、画像密度９５％以上の銀色画像が記録媒体の幅の５０％以上を占める場合には、制御部７０が第１モードを選択すると共に、トナー画像形成部２０Ｖを稼働させる（図１参照）。
【０１００】
第１モードが選択されることにより、図８（Ｂ）に示されるように、カム２３０の長径部分が一次転写ロール３３Ｖの軸部３５に接触する回転位置でカム２３０が停止する。これにより、一次転写ロール３３Ｖは、第１ニップ荷重よりも大きい第２ニップ荷重で転写ベルト３１を感光体ドラム２１Ｖとで挟んだ状態となる。
【０１０１】
トナー画像形成部２０Ｖが稼働されることにより、トナー画像形成部２０Ｖにおいて、帯電器２２による帯電動作、露光装置２３による露光動作及び現像装置２４による現像動作が行われ、感光体ドラム２１Ｖに銀色画像が形成される。
【０１０２】
この銀色画像が、一次転写位置ＴＶにて転写ベルト３１に転写される。このとき、銀色画像及び転写ベルト３１は、一次転写位置ＴＶにおいて、一次転写ロール３３Ｖ及び感光体ドラム２１Ｖによって、第２ニップ荷重で挟まれる。転写ベルト３１に転写された銀色画像は、二次転写位置ＮＴにて転写ベルト３１から記録媒体Ｐに転写される。
【０１０３】
銀色画像が転写された記録媒体Ｐは、定着装置４０の定着ニップＮＦへ搬送される。定着装置４０は、定着ニップＮＦを通過する記録媒体Ｐに対し、熱及び圧力を付与する。これにより、記録媒体Ｐに転写された銀色画像が記録媒体Ｐに定着される。
【０１０４】
本実施形態では、前述のように、銀色画像が転写ベルト３１に転写される際に、第１ニップ荷重よりも大きい第２ニップ荷重で、銀色画像及び転写ベルト３１が挟まれる。このため、銀色画像及び転写ベルト３１が第１ニップ荷重で挟まれる場合に比べ、銀色画像における銀色トナー同士が寝た状態で密着し、銀色トナーが凝集する。さらに、銀色画像及び転写ベルト３１が第１ニップ荷重で挟まれる場合に比べ、銀色画像の銀色トナーと転写ベルト３１との接触面積が増大し、銀色トナーと転写ベルト３１との付着力（密着性）が高まる。
【０１０５】
このため、銀色画像を転写ベルト３１から記録媒体Ｐに転写する際に、二次転写ロール３４にその軸方向への振動等が発生しても、銀色トナーの顔料１１０が動きにくく、顔料１１０の姿勢が局所的に変化しにくい。
【０１０６】
したがって、第１モードにおいて、一次転写位置ＴＶにおけるニップ荷重が第１ニップ荷重以下の荷重である場合に比べ、転写ベルト３１から記録媒体Ｐに転写された銀色画像の銀色トナーに含まれる顔料１１０の姿勢の周期的なばらつきが抑制される。これにより、記録媒体Ｐに形成された銀色画像において、金属光沢感のムラが発生することが抑制される。
【０１０７】
一方、記録媒体Ｐの媒体幅に対する画像密度９５％以上の銀色画像における画像幅の比率が５０％以上であるか否かの判断の結果、画像密度９５％以上の銀色画像が記録媒体の幅の５０％未満を占める場合には、制御部７０が第２モードを選択すると共に、トナー画像形成部２０Ｖ、２０Ｙ〜２０Ｋを稼働させる（図１参照）。
【０１０８】
第２モードが選択されることにより、図８（Ａ）に示されるように、カム２３０の短径部分が一次転写ロール３３Ｖの軸部３５に接触する回転位置でカム２３０が停止する。これにより、一次転写ロール３３Ｖは、第２ニップ荷重よりも小さい第３ニップ荷重で転写ベルト３１を感光体ドラム２１Ｖとで挟んだ状態となる。
【０１０９】
トナー画像形成部２０Ｖ、２０Ｙ〜２０Ｋが稼働されることにより、トナー画像形成部２０Ｖ、２０Ｙ〜２０Ｋにおいて、帯電器２２による帯電動作、露光装置２３による露光動作及び現像装置２４による現像動作が行われ、感光体ドラム２１Ｖ、２１Ｙ〜２１Ｋに銀色画像及びカラー色画像がそれぞれ形成される。
【０１１０】
各感光体ドラム２１Ｙ〜２１Ｋに形成されたカラー色画像が、一次転写位置ＴＹ〜ＴＫにて転写ベルト３１に順次転写される。このとき、各カラー色画像及び転写ベルト３１は、各一次転写位置ＴＹ〜ＴＫにおいて、各一次転写ロール３３Ｙ〜３３Ｋ及び各感光体ドラム２１Ｙ〜２１Ｋによって、第１ニップ荷重で挟まれる。
【０１１１】
さらに、感光体ドラム２１Ｖに形成された銀色画像が、一次転写位置ＴＶにて転写ベルト３１に転写される。このとき、銀色画像及び転写ベルト３１は、一次転写位置ＴＶにおいて、一次転写ロール３３Ｖ及び感光体ドラム２１Ｖによって、第３ニップ荷重で挟まれる。また、転写ベルト３１に転写された各カラー色画像は、一次転写位置ＴＶを通過する際に、一次転写ロール３３Ｖ及び感光体ドラム２１Ｖによって、第３ニップ荷重で挟まれる。
【０１１２】
そして、転写ベルト３１に転写された各カラー色画像及び銀色画像は、二次転写位置ＮＴにて転写ベルト３１から記録媒体Ｐに転写される。
【０１１３】
カラー色画像及び銀色画像が転写された記録媒体Ｐは、定着装置４０の定着ニップＮＦへ搬送される。定着装置４０は、定着ニップＮＦを通過する記録媒体Ｐに対し、熱及び圧力を付与する。これにより、記録媒体Ｐに転写されたカラー色画像及び銀色画像が記録媒体Ｐに定着される。
【０１１４】
本実施形態では、各カラー色画像が転写ベルト３１に転写される際に、第２ニップ荷重よりも小さい第１ニップ荷重で、カラー色画像及び転写ベルト３１が挟まれる。さらに、転写ベルト３１に転写された各カラー色画像は、一次転写位置ＴＶを通過する際に、一次転写ロール３３Ｖ及び感光体ドラム２１Ｖによって、第３ニップ荷重で挟まれる。
【０１１５】
このため、カラー色画像及び転写ベルト３１が、一次転写位置ＴＶにおいて第２ニップ荷重で挟まれる場合に比べ、カラー色画像におけるカラー色トナー同士が密着せず、カラー色トナーが転写ベルト３１上で凝集することが抑制される。また、カラー色画像及び転写ベルト３１が第２ニップ荷重で挟まれる場合に比べ、カラー色画像のカラー色トナーと転写ベルト３１との付着力（密着性）は低い。
【０１１６】
このため、カラー色画像が転写ベルト３１から記録媒体Ｐに転写される際に、カラー色トナーが記録媒体Ｐに転写されずに転写ベルト３１に残留して、記録媒体Ｐ上の画像が抜けることが抑制される。
【０１１７】
＜第３実施形態の変形例＞
第３実施形態では、制御部７０は、記録媒体Ｐの媒体幅に対する画像密度９５％以上の銀色画像における画像幅の比率に基づき、モード選択を行ったがこれに限られない。例えば、画像密度９５％以上の銀色画像における画像幅が、予め定められた幅（例えば、１４８．５ｍｍ（Ａ３サイズの５０％幅））以上であるか否かで、モード選択を行ってもよい。
【０１１８】
また、第３実施形態では、各色のトナー画像形成部２０は、イエロー（Ｙ）、マゼンタ（Ｍ）、シアン（Ｃ）、ブラック（Ｋ）、特別色（Ｖ）の順で、転写ベルト３１の搬送方向の上流側から下流側に向けて配置されていたが（図７参照）、これに限られない。例えば、各色のトナー画像形成部２０は、特別色（Ｖ）、イエロー（Ｙ）、マゼンタ（Ｍ）、シアン（Ｃ）、ブラック（Ｋ）の順で、転写ベルト３１の搬送方向の上流側から下流側に向けて配置されていてもよく、各色のトナー画像形成部２０の配置順は、不問である。
【０１１９】
≪第１〜第３実施形態の変形例≫
前述の第１〜第３実施形態では、扁平顔料を含むトナーとして、銀色トナーを用いたが、これに限られず、金色などの金属色のトナーを用いてもよい。なお、金色のトナーは、例えば、アルミニウムなどで構成された扁平顔料と黄色の顔料と含んで構成される。すなわち、扁平顔料を含むトナーとしては、扁平顔料以外の顔料を含んでいてもよい。
【０１２０】
本発明は、上記の実施形態に限るものではなく、その主旨を逸脱しない範囲内において種々の変形、変更、改良が可能である。例えば、上記に示した変形例は、適宜、複数を組み合わせて構成してもよい。
【符号の説明】
【０１２１】
１０   画像形成装置
２０Ｙ、２０Ｍ、２０Ｃ、２０Ｋ     各トナー画像形成部（第１形成部の一例）
２０Ｖ トナー画像形成部（第２形成部の一例）
３１   転写ベルト（転写体の一例）
３３Ｖ 一次転写ロール（第２転写部材の一例）
３３Ｙ、３３Ｍ、３３Ｃ、３３Ｋ     一次転写ロール（第１転写部材の一例）
１１０ 顔料（扁平顔料の一例）
【図１】
2016157018.tif 000003
【図２】
2016157018.tif 000004
【図３】
2016157018.tif 000005
【図４】
2016157018.tif 000006
【図６】
2016157018.tif 000007
【図７】
2016157018.tif 000008
【図８】
2016157018.tif 000009
【図９】
2016157018.tif 000010
【図５】
2016157018.tif 000011